(57)【要約】【課題】鼻ベルトの交換が簡単であり、装着時に容易に脱落せず、一対のレンズ体と鼻ベルトとの嵌合部をコンパクトにすることにより、その嵌合構造の省スペース化を図ると共に、使用者がより快適な使用感を得ることができ、しかもの商品のデザインを損ねることのない眼用保護具を提供する。【解決手段】一対のレンズ体１の相互の間隔を調節するための交換可能な鼻ベルト１１を有したものとしており、前記レンズ体１のそれぞれの内側端に嵌合溝２を設け、これら嵌合溝２にそれぞれ嵌め込まれる嵌合部１３を、鼻ベルト１１の間隔調節部１２の両側端に設けたものとし、前記嵌合部１３には、前記嵌合溝２に嵌め込まれる嵌合凸部１５が形成されると共に、この嵌合凸部１５の上端にカバー部１６が形成されている。【選択図】図６
2018171275.tif 000002
【特許請求の範囲】
【請求項１】
一対のレンズ体（１）の相互の間隔を調節するための交換可能な鼻ベルト（１１）を有したものとしており、前記レンズ体（１）のそれぞれの内側端に嵌合溝（２）を設け、これら嵌合溝（２）にそれぞれ嵌め込まれる嵌合部（１３）を、鼻ベルト（１１）の間隔調節部（１２）の両側端に設けたものとし、前記嵌合部（１３）には、前記嵌合溝（２）に嵌め込まれる嵌合凸部（１５）が形成されると共に、この嵌合凸部（１５）の上端にカバー部（１６）が形成されていることを特徴とする眼用保護具。
【請求項２】
前記レンズ体（１）の嵌合溝（２）は、前壁部（２ａ）と後壁部（２ｂ）と内壁部（２ｃ）と底壁部（２ｄ）とから形成されたものとし、前壁部（２ａ）内面の奥側に前嵌合溝（３ａ）が形成されると共に、後壁部（２ｂ）内面の奥側に後嵌合溝（３ｂ）が形成され、前記鼻ベルト（１１）の嵌合凸部（１５）には、前面の外側に前記レンズ体（１）の前嵌合溝（３ａ）に嵌め込まれる前嵌合凸部（１５ａ）が形成されると共に、後面の外側に前記レンズ体（１）の後嵌合溝（３ｂ）に嵌め込まれる後嵌合凸部（１５ｂ）が形成されていることを特徴とする請求項１記載の眼用保護具。
【請求項３】
前記レンズ体（１）の嵌合溝（２）の後壁部（２ｂ）には係合凹部（４）が形成され、この係合凹部（４）に係合する係合凸部（１４）が前記鼻ベルト（１１）の側壁部（１２ｃ）に形成されたものとし、前記係合凹部（４）と係合凸部（１４）との対向面が互いに曲面であるものとしていることを特徴とする請求項１または２記載の眼用保護具。
【請求項４】
前記鼻ベルト（１１）は、硬度がショアＡ６５度〜ショアＤ７５度の合成樹脂または合成ゴムからなるものとしていることを特徴とする請求項１〜３のいずれかに記載の眼用保護具。
【請求項５】
前記鼻ベルト（１１）の間隔調節部（１２）は、上壁部（１２ａ）と下壁部（１２ｂ）と両側壁部（１２ｃ）に囲まれた抜き孔（１２ｄ）を有したものとしていることを特徴とする請求項４記載の眼用保護具。
【請求項６】
前記鼻ベルト（１１）の間隔調節部（１２）の上壁部（１２ａ）の上面は、前記カバー部（１６）の上面と面一に連続形成したものとしていることを特徴とする請求項１〜５のいずれかに記載の眼用保護具。
【発明の詳細な説明】
【技術分野】
【０００１】
この発明は、交換可能な鼻ベルトを有する眼鏡、ゴーグルなどの眼用保護具、特にスイミングゴーグルに適した鼻ベルトを有する眼用保護具に関するものである。
【背景技術】
【０００２】
従来、眼鏡、ゴーグルなどの眼用保護具においては、一対のレンズ体の相互の間隔を調節するために交換可能な鼻ベルトを有したものとしており、例えば特許文献１に示された「水泳用ゴーグル」や特許文献２に示された「スイミングゴーグル」のようなものが存在する。
【０００３】
特許文献１に示された「水泳用ゴーグル」は、鼻ベルトの両端縁に嵌合柱が設けられ、この嵌合柱の一端は縮小頸部とされ、一端は円弧体とされている。そして、この「水泳用ゴーグル」は、ゴーグルのリムの側縁に嵌合柱の頸部と円弧体と嵌合可能な嵌合溝が凹設され、この嵌合溝は開口が上向きで側面と開口が連通し、底部が閉口とされており、嵌合柱と嵌合可能であり、嵌合柱の頸部は鼻ベルトとリムの離脱を防止し、安定した連結作用を有するとしている。
【０００４】
さらに、前記「水泳用ゴーグル」は、嵌合柱と嵌合溝の間にさらに相互に嵌合可能な第１位置決め体と第２位置決め体が設けられている。そして、この「水泳用ゴーグル」では、第１位置決め体は、嵌合柱に設けられた凸粒とされ、第２位置決め体は、嵌合溝の凸粒に対応する部分に設けられた嵌合溝とされ、これにより嵌合柱と嵌合溝の嵌め止めがより確実に行われるとしている。
【０００５】
特許文献２に示された「スイミングゴーグル」は、アイカップの周壁の鼻部分領域に横方向に、硬質エラストマーからなる鼻ベルトの取り付け用ステイを突設し、この取り付け用ステイの先端部には抜け止め用突出部分を有するものとしている。そして、この「スイミングゴーグル」では、鼻ベルトは、抜け止め用突出部分を有する取り付け用ステイを挿入する孔部を有しており、この孔部に取り付け用ステイを横向きにして挿入し、回動させて抜け止め用突出部分で抜け止め状態とするようにしている。
【０００６】
したがって、前記「スイミングゴーグル」は、アイカップ自体の周壁の鼻部分領域には孔が存在せず、アイカップのクラックの発生が抑制され軽量性且つ耐久性に優れ、特に競技用には好適であり、またスイミングゴーグルの鼻ベルトの交換が容易で、且つ確実に固定され、さらにアイカップと鼻ベルトを成型するための金型の構造もシンプルにすることができるとしている。
【先行技術文献】
【特許文献】
【０００７】
【特許文献１】実用新案登録第３０６６８８８号公報
【特許文献２】特許第４１５８１２３号公報
【発明の概要】
【発明が解決しようとする課題】
【０００８】
しかしながら、特許文献１に示された「水泳用ゴーグル」では、鼻ベルトの嵌合柱とリムの嵌合溝との嵌め止めがより確実に行われるには、嵌合柱も嵌合溝も長くする必要があり、この嵌め止め構造の省スペース化が困難であるという問題点を有していた。
【０００９】
そして、前記「水泳用ゴーグル」では、リムの嵌合溝は開口が上向きであるため、嵌め込んだ嵌合柱の上部がその開口から露出して外観が悪くなり、商品のデザインを損ねるという問題点を有していた。
【００１０】
さらに、前記「水泳用ゴーグル」では、第１位置決め体と第２位置決め体とを嵌合する場合に、両者の形状に逃げしろがないため嵌合し難く、無理に嵌合しようとすると、破損し兼ねないという問題点を有していた。
【００１１】
また、特許文献２に示された「スイミングゴーグル」では、アイカップに突設した取り付け用ステイを、鼻ベルトの孔部に挿入し回動操作を行うため、この回動操作を繰り返し行っているうちに、鼻ベルトの孔部が広がり、抜け止め状態を保つ力が弱くなることがあるという問題点を有していた。
【００１２】
そこで、この発明は、上記従来の眼用保護具が有する問題点を解決するものであり、鼻ベルトの交換が簡単であり、装着時に容易に脱落せず、一対のレンズ体と鼻ベルトとの嵌合部をコンパクトにすることにより、その嵌合構造の省スペース化を図ると共に、使用者がより快適な使用感を得ることができ、しかもの商品のデザインを損ねることのない眼用保護具を提供することを目的としてなされたものである。
【課題を解決するための手段】
【００１３】
そのため、この発明の眼用保護具は、一対のレンズ体１の相互の間隔を調節するための交換可能な鼻ベルト１１を有したものとしており、前記レンズ体１のそれぞれの内側端に嵌合溝２を設け、これら嵌合溝２にそれぞれ嵌め込まれる嵌合部１３を、鼻ベルト１１の間隔調節部１２の両側端に設けたものとし、前記嵌合部１３には、前記嵌合溝２に嵌め込まれる嵌合凸部１５が形成されると共に、この嵌合凸部１５の上端にカバー部１６が形成されているものとしている。
【００１４】
この発明の眼用保護具において、前記レンズ体１の嵌合溝２は、前壁部２ａと後壁部２ｂと内壁部２ｃと底壁部２ｄとから形成されたものとし、前壁部２ａ内面の奥側に前嵌合溝３ａが形成されると共に、後壁部２ｂ内面の奥側に後嵌合溝３ｂが形成され、前記鼻ベルト１１の嵌合凸部１５には、前面の外側に前記レンズ体１の前嵌合溝３ａに嵌め込まれる前嵌合凸部１５ａが形成されると共に、後面の外側に前記レンズ体１の後嵌合溝３ｂに嵌め込まれる後嵌合凸部１５ｂが形成されているものとしている。
【００１５】
この発明の眼用保護具において、前記レンズ体１の嵌合溝２の後壁部２ｂには係合凹部４が形成され、この係合凹部４に係合する係合凸部１４が前記鼻ベルト１１の側壁部１２ｃに形成されたものとし、前記係合凹部４と係合凸部１４との対向面が互いに曲面であるものとしている。
【００１６】
この発明の眼用保護具において、前記鼻ベルト１１は、硬度がショアＡ６５度〜ショアＤ７５度の合成樹脂または合成ゴムからなるものとしている。
【００１７】
この発明の眼用保護具において、前記鼻ベルト１１の間隔調節部１２は、上壁部１２ａと下壁部１２ｂと両側壁部１２ｃに囲まれた抜き孔１２ｄを有したものとしている。
【００１８】
この発明の眼用保護具において、前記鼻ベルト１１の間隔調節部１２の上壁部１２ａの上面は、前記カバー部１６の上面と面一に連続形成したものとしている。
【発明の効果】
【００１９】
この発明の眼用保護具は、以上に述べたように構成されているので、鼻ベルトの交換が簡単であり、装着時に容易に脱落せず、一対のレンズ体と鼻ベルトとの嵌合部をコンパクトにすることができるので、その嵌合構造の省スペース化を図ることができ、使用者がより快適な使用感を得ることができるものとなる。
【００２０】
さらに、この発明の眼用保護具は、一対のレンズ体と鼻ベルトとの嵌合部が露出しないので外観が悪くなることがなく、商品のデザインを損ねることのないものとなる。
【図面の簡単な説明】
【００２１】
【図１】この発明の眼用保護具をスイミングゴーグル（ヘッドベルトは省略）として実施した態様を示す斜視図である。
【図２】図１に示すこの発明の眼用保護具の正面図である。
【図３】図１に示すこの発明の眼用保護具の背面図である。
【図４】図１に示すこの発明の眼用保護具の平面図である。
【図５】図３中のＡ−Ａ線によるこの発明の眼用保護具の断面図である。
【図６】図１に示すこの発明の眼用保護具を正面側から見た状態の分解斜視図である。
【図７】図１に示すこの発明の眼用保護具を背面側から見た状態の分解斜視図である。
【図８】図１に示すこの発明の眼用保護具の一方のレンズ体の平面図である。
【図９】図１に示すこの発明の眼用保護具の一方のレンズ体の側面図である。
【図１０】図８中の円で囲んだ部分の拡大図である。
【図１１】図９中のＢ−Ｂ線によるこの発明の眼用保護具の一方のレンズ体部の断面図である。
【図１２】図１に示すこの発明の眼用保護具の鼻ベルトを正面側から見た状態の斜視図である。
【図１３】図１２に示す鼻ベルトの正面図である。
【図１４】図１２に示す鼻ベルトの背面図である。
【図１５】レンズ体と鼻ベルトの嵌合部分を拡大して示す背面図である。
【図１６】図１５中のＣ−Ｃ線によるレンズ体と鼻ベルトの嵌合部分の断面図である。
【図１７】図１５中のＤ−Ｄ線によるレンズ体と鼻ベルトの嵌合部分の断面図である。
【発明を実施するための形態】
【００２２】
以下、この発明の眼用保護具を実施するための形態を図面に基づいて詳細に説明する。ここでの実施形態は、スイミングゴーグルを例に説明するが、これに限られるものではないのは勿論である。なお、以下の説明文中における前後方向、左右方向、上下方向は、眼用保護具を装着した状態を基準としている。
【００２３】
図１〜５に示したスイミングゴーグルは、一対のレンズ体１の相互間に、両者の間隔を調節するための交換可能な鼻ベルト１１を有したものとすると共に、頭部への装着用のヘッドベルト（図示せず）を有したものとしている。
【００２４】
前記レンズ体１は、図６〜１１に示したように、前面のレンズ部１ａと、このレンズ部１ａの周端から後方に延設された周壁部１ｂと、この周壁部１ｂに取り付けられて装着時に顔面に当接するクッション部１ｃとからなるものとしている。
【００２５】
前記レンズ体１のそれぞれの内側端には、図８、１０に示したように、前壁部２ａと後壁部２ｂと内壁部２ｃと底壁部２ｄとから形成される嵌合溝２が設けられている。この嵌合溝２には、前壁部２ａ内面の奥側に前嵌合溝３ａが形成されると共に、後壁部２ｂ内面の奥側に後嵌合溝３ｂが形成され、さらに後壁部２ｂの側端には、図７、９に示したように、係合凹部４が形成されている。そして、前嵌合溝３ａおよび後嵌合溝３ｂは、その形状を、下に向かって先細りとした凹状略四角錐台形状にしている。また、係合凹部４は、後に述べるように、その縦断面形状を、角を丸めた略台形状にしている。
【００２６】
前記鼻ベルト１１は、図１２〜１４に示したように、前面および後面を円弧形状としており、上壁部１２ａと下壁部１２ｂと両側壁部１２ｃに囲まれた抜き孔１２ｄを有した間隔調節部１２と、この間隔調節部１２の両側端に設けた嵌合部１３とからなるものとしている。これら嵌合部１３は、前記レンズ体１のそれぞれの内側端に設けられた嵌合溝２にそれぞれ嵌め込まれる。そして、この鼻ベルト１１は、一対のレンズ体１の相互間の間隔に応じて、間隔調節部１２を数段階の寸法に設定したものが用意されている。なお、前記間隔調節部１２の抜き孔１２ｄは、後に述べるように鼻ベルト１１にあらゆる方向から作用するひねりの力を逃がすためのものであるが、この抜き孔１２ｄを設けることなく、間隔調節部１２自体を嵌合部１３よりも肉厚を薄くしたり、細くするなどして、鼻ベルト１１にあらゆる方向から作用するひねりの力を逃がすようにしてもよい。
【００２７】
前記両側壁部１２ｃのそれぞれの外側には、図１４に示したように、レンズ体１の嵌合溝２の後壁部２ｂに形成された係合凹部４に係合する係合凸部１４が形成されたものとしている。この係合凸部１４と前記係合凹部４の対向面は、互いに曲面にするか、少なくとも何れか一方を曲面にし、両者の係合幅を数ｍｍにしている。例えば、図１５に示したように、係合凸部１４と前記係合凹部４のそれぞれの縦断面形状を、角を丸めた略台形状にし、それらの角の丸みＲを１〜５ｍｍにし、それらの角の傾斜角αを０〜６０度にすることにより曲面にしており、両者の係合幅Ｗを０．５〜２．０ｍｍにしている。
【００２８】
前記嵌合部１３には、レンズ体１の嵌合溝２に嵌め込まれる嵌合凸部１５が形成されると共に、この嵌合凸部１５の上端にカバー部１６が形成されたものとしている。そして、このカバー部１６の上面は、前記上壁部１２ａの上壁面と面一に連続形成したものとしている。
【００２９】
前記嵌合凸部１５は、前面の外側に前記レンズ体１の前嵌合溝３ａに嵌め込まれる前嵌合凸部１５ａが形成されると共に、後面の外側に前記レンズ体１の後嵌合溝３ｂに嵌め込まれる後嵌合凸部１５ｂが形成されたものとしている。そして、前嵌合凸部１５ａおよび後嵌合凸部１５ｂも、その形状を、前記前嵌合溝３ａおよび後嵌合溝３ｂと同様な、下に向かって先細りとした凸状略四角錐台形状にし、これら前嵌合溝３ａおよび後嵌合溝３ｂに合致するようにしている。
【００３０】
そして、前記鼻ベルト１１は、硬度がショアＡ６５度〜ショアＤ７５度、好ましくはショアＤ５０度〜ショアＤ６５度に調整された合成樹脂または合成ゴムからなるものとしている。具体的な材質としては、ポリアミド系エラストマー、ポリエステル系エラストマー、ウレタン系エラストマーなどにするのが好ましい。前記鼻ベルト１１の硬度が、ショアＡ６５度よりも柔らかいと、前記レンズ体１の嵌合溝２に鼻ベルト１１の嵌合部１３を嵌め込んだときに簡単に外れ易くなり、ショアＤ７５度より硬いと、前記レンズ体１の嵌合溝２に鼻ベルト１１の嵌合部１３を嵌め込み難くなったり、無理に嵌め込んだ場合には外れなかったり、レンズ体１側を変形させるなどの弊害がある。なお、前記レンズ体１は、鼻ベルト１１と同一の硬度か、または高い硬度にすればよく、合成樹脂に限らず、金属などにすることもできる。
【００３１】
以上のように構成されたこの発明の眼用保護具において、鼻ベルト１１を交換するには、以下に述べるようにして行われる。
【００３２】
先ず、一方のレンズ体１と鼻ベルト１１を指で摘んで、図２に矢印で示したように、レンズ体１の外端を上方に回すようにして、このレンズ体１を引っ張れば、鼻ベルト１１の嵌合凸部１５を一方のレンズ体１の嵌合溝２から簡単に外すことができる。
【００３３】
すなわち、鼻ベルト１１の硬度が、先に述べたように調整されており、さらにレンズ体１の嵌合溝２の前嵌合溝３ａおよび後嵌合溝３ｂと、これらに嵌め込まれている鼻ベルト１１の嵌合凸部１５の前嵌合凸部１５ａおよび後嵌合凸部１５ｂが、いずれも下に向かって先細りとした略四角錐台形状にしているので、レンズ体１の外端を上方に回すようにすれば、嵌合溝２から鼻ベルト１１の嵌合凸部１５を簡単に引き上げることができ、さらにレンズ体１の係合凹部４と鼻ベルト１１の係合凸部１４もそれぞれの角を丸めた略台形状にしているので、その係合が簡単に解除されることになる。したがって、前記したように鼻ベルト１１の嵌合凸部１５を一方のレンズ体１の嵌合溝２から簡単に外すことができる。
【００３４】
そして、もう一方のレンズ体１と鼻ベルト１１を指で摘んで、同様の手順の操作を行えば、鼻ベルト１１の嵌合凸部１５をもう一方のレンズ体１の嵌合溝２から簡単に外すことができる。
【００３５】
次に、前記レンズ体１から外した鼻ベルト１１とは、間隔調節部１２の寸法の違うものを用意し、この鼻ベルト１１と一方のレンズ体１を指で摘まんで、図６に矢印で示したように、レンズ体１の嵌合溝２の上方から、この嵌合溝２にその鼻ベルト１１の嵌合凸部１５を差し込むようにすれば、この嵌合凸部１５を一方のレンズ体１の嵌合溝２に簡単に嵌め込むことができる。
【００３６】
すなわち、この場合も、鼻ベルト１１の硬度が、先に述べたように調整されており、前記前嵌合溝３ａおよび後嵌合溝３ｂ、前嵌合凸部１５ａおよび後嵌合凸部１５ｂが、いずれも下に向かって先細りとした略四角錐台形状にしているので、レンズ体１の嵌合溝２に鼻ベルト１１の嵌合凸部１５を差し込むようにすれば、簡単に嵌め込むことができ、さらに前記係合凹部４と係合凸部１４もそれぞれの角を丸めた略台形状にしているので、その係合が簡単に行えることになる。したがって、前記したように鼻ベルト１１の嵌合凸部１５を一方のレンズ体１の嵌合溝２に簡単に嵌め込むことができる。
【００３７】
そして、もう一方のレンズ体１と鼻ベルト１１を指で摘んで、同様の手順の操作を行えば、鼻ベルト１１の嵌合凸部１５をもう一方のレンズ体１の嵌合溝２に簡単に嵌め込むことができる。
【００３８】
したがって、この発明の眼用保護具は、鼻ベルト１１の交換がスムーズに簡単に行えるものとなる。
【００３９】
なお、この発明の眼用保護具では、鼻ベルト１１の嵌合凸部１５をレンズ体１の嵌合溝２に嵌め込んだ場合に、嵌合凸部１５の上端に形成されたカバー部１６が、前記嵌合溝２に嵌合凸部１５を嵌め込んだ部分の上方を覆うので、その部分が露出することなく、しかもこのカバー部１６の上面は、前記上壁部１２ａの上壁面と面一に連続形成したものとし、両者の間に段差をなくしたものとしているので、外観が悪くなるようなこともない。
【００４０】
さらに、この発明の眼用保護具は、装着時においても、鼻ベルト１１がレンズ体１から容易に脱落しないものとなる。
【００４１】
すなわち、この発明の眼用保護具では、鼻ベルト１１の硬度が、先に述べたように調整され、さらに間隔調節部１２に抜き孔１２ｄを有したものとしているので、鼻ベルト１１にあらゆる方向から作用するひねりの力を逃がすことができ、快適な装着感が得られると共に、鼻ベルト１１がレンズ体１から容易に脱落しないものとなる。
【００４２】
この発明の眼用保護具は、以上に述べたように構成されているので、先にも述べたように、鼻ベルト１１の交換が簡単であり、装着時に容易に脱落せず、一対のレンズ体１と鼻ベルト１１との嵌合部をコンパクトにしているので、その嵌合構造の省スペース化を図ることができ、使用者がより快適な使用感を得ることができると共に、安定した嵌合状態を長期間保つことができる。
【００４３】
さらに、この発明の眼用保護具は、一対のレンズ体１と鼻ベルト１１との連結部が露出しないので外観が悪くなることがなく、商品のデザインを損ねることのないものとなる。
【００４４】
また、この発明の眼用保護具は、前記係合凹部４と係合凸部１６との対向面が曲面であるので、これらを係合したり、係合を解除する操作をスムーズに行うことができ、レンズ体１や鼻ベルト１１を破損してしまうこともない。
【符号の説明】
【００４５】
１  レンズ体
２  嵌合溝
２ａ  前壁部
２ｂ  後壁部
２ｃ  内壁部
２ｄ  底壁部
３ａ  前嵌合溝
３ｂ  後嵌合溝
４  係合凹部
１１  鼻ベルト
１２  間隔調節部
１２ａ  上壁部
１２ｂ  下壁部
１２ｃ  側壁部
１２ｄ  抜き孔
１３  嵌合部
１４  係合凸部
１５  嵌合凸部
１５ａ  前嵌合凸部
１５ｂ  後嵌合凸部
１６  カバー部
【図１】
2018171275.tif 000003
【図２】
2018171275.tif 000004
【図３】
2018171275.tif 000005
【図４】
2018171275.tif 000006
【図５】
2018171275.tif 000007
【図６】
2018171275.tif 000008
【図７】
2018171275.tif 000009
【図８】
2018171275.tif 000010
【図９】
2018171275.tif 000011
【図１０】
2018171275.tif 000012
【図１１】
2018171275.tif 000013
【図１２】
2018171275.tif 000014
【図１３】
2018171275.tif 000015
【図１４】
2018171275.tif 000016
【図１５】
2018171275.tif 000017
【図１６】
2018171275.tif 000018
【図１７】
2018171275.tif 000019